(57)【要約】【課題】２つの出金口に搬送された紙幣を効率的に抜き取ることが可能な紙幣処理装置を提供する。【解決手段】紙幣が搬送される第１出金口及び第２出金口と、移動することにより前記第１出金口を開閉可能な第１開閉部材と、移動することにより前記第２出金口を開閉可能な第２開閉部材と、前記第１出金口又は前記第２出金口の紙幣の抜き取りを検知する検知部と、前記第１出金口及び前記第２出金口に紙幣が搬送された際に前記第１出金口の紙幣の抜き取りが検知されると、前記第１開閉部材を閉じる動作、及び前記第２開閉部材を開ける動作を共に行う制御部と、を備える、紙幣処理装置。【選択図】図４
2014026500.tif 000002
【特許請求の範囲】
【請求項１】
紙幣が搬送される第１出金口及び第２出金口と、
移動することにより前記第１出金口を開閉可能な第１開閉部材と、
移動することにより前記第２出金口を開閉可能な第２開閉部材と、
前記第１出金口又は前記第２出金口の紙幣の抜き取りを検知する検知部と、
前記第１出金口及び前記第２出金口に紙幣が搬送された際に前記第１出金口の紙幣の抜き取りが検知されると、前記第１開閉部材を閉じる動作、及び前記第２開閉部材を開ける動作を共に行う制御部と、
を備える、紙幣処理装置。
【請求項２】
請求項１に記載の紙幣処理装置において、
前記制御部は、前記第１出金口の紙幣の抜き取りが検知されると、前記第１開閉部材を閉め始めると同時に、前記第２開閉部材を開け始める、紙幣処理装置。
【請求項３】
請求項１に記載の紙幣処理装置において、
前記制御部は、前記第１出金口の紙幣の抜き取りが検知されると、前記第１開閉部材を閉める途中で、前記２開閉部材を開け始める、紙幣処理装置。
【請求項４】
請求項１に記載の紙幣処理装置において、
前記制御部は、前記第１出金口の紙幣の抜き取りが検知されると、前記第１開閉部材を閉め終わると同時に、前記第２開閉部材を開け始める、紙幣処理装置。
【請求項５】
請求項２〜４のいずれか１項に記載の紙幣処理装置において、
前記制御部は、前記第１出金口と前記第２出金口に異なる金種の紙幣が搬送された場合には、前記紙幣の搬送が完了すると、前記第１開閉部材及び前記第２開閉部材の一方を開ける、紙幣処理装置。
【請求項６】
請求項１に記載の紙幣処理装置において、
前記制御部は、前記第１出金口と前記第２出金口に同じ金種の紙幣が搬送された場合には、前記紙幣の搬送が完了すると、前記第１開閉部材と前記第２開閉部材を共に開ける、紙幣処理装置。
【請求項７】
請求項６に記載の紙幣処理装置において、
前記制御部は、前記紙幣の搬送が完了すると、前記第１開閉部材と前記第２開閉部材を同時に開ける、紙幣処理装置。
【請求項８】
紙幣が搬送される第１出金口及び第２出金口と、
移動することにより前記第１出金口を開閉可能な第１開閉部材と、
移動することにより前記第２出金口を開閉可能な第２開閉部材と、
前記第１出金口又は前記第２出金口の紙幣の抜き取りを検知する検知部と、
前記第１出金口及び前記第２出金口に紙幣が搬送された際に前記第１出金口の紙幣の抜き取りが検知されると、前記第２開閉部材を開ける動作を行う制御部と、
を備える、紙幣処理装置。
【請求項９】
請求項８に記載の紙幣処理装置において、
前記制御部は、前記第１出金口の紙幣の抜き取りが検知されると、前記第１開閉部材を開いた状態で、前記第２開閉部材を開ける、紙幣処理装置。
【請求項１０】
第１出金口及び第２出金口への紙幣の搬送と、前記第１出金口を開閉可能な第１開閉部材及び前記第２出金口を開閉可能な第２開閉部材の開閉動作と、を制御する紙幣処理方法であって、
前記第１出金口及び前記第２出金口に紙幣を搬送するステップと、
前記紙幣の搬送後に前記第１出金口又は前記第２出金口の紙幣の抜き取りを検知部が検知するステップと、
前記第１出金口の紙幣の抜き取りが検知されると、前記第１開閉部材を閉じる動作、及び前記第２開閉部材を開ける動作を共に行うステップと、
を有する紙幣処理方法。
【発明の詳細な説明】
【技術分野】
【０００１】
本発明は、紙幣処理装置、及び紙幣処理方法に関する。
【背景技術】
【０００２】
金融機関の営業店カウンタ等に、窓口用現金処理機に代表される現金処理装置が設置されている。現金処理装置は、紙幣や硬貨の入金取引や出金取引等に利用される。職員は、例えば、現金処理装置の操作部、又は現金処理装置に接続された受付端末から操作を行うことにより、入金取引や出金取引を行うことができる。
【０００３】
下記の特許文献１には、紙幣入金口に投入された紙幣を一時保留部に一時保留した後にスタッカに収納する入金処理と、スタッカに収納された紙幣を分離して紙幣出金口に搬送する出金処理とを行う現金処理装置が開示されている。
【先行技術文献】
【特許文献】
【０００４】
【特許文献１】特開２００１−９３０２２号公報
【発明の概要】
【発明が解決しようとする課題】
【０００５】
上記の特許文献１の紙幣出金口は、１つであるため、多量の紙幣をまとめて搬送することが困難である。そこで、紙幣出金口を二つ設ける方策が検討されている。
【０００６】
ところで、紙幣出金口には、通常、開閉可能なシャッタが設けられており、紙幣の搬送中はシャッタが閉じている。そして、紙幣出金口の紙幣を抜き取るためには、シャッタを開ける必要がある。このため、紙幣出金口を二つ設けた場合には、各出金口にシャッタを設けることになる。しかし、２つの出金口に紙幣を搬送した場合に、２つの出金口の紙幣を効率的に抜き取るためのシャッタの開閉動作については、検討されていなかった。
【０００７】
そこで、本発明は、上記問題に鑑みてなされたものであり、本発明の目的とするところは、２つの出金口に搬送された紙幣を効率的に抜き取ることが可能な、新規かつ改良された紙幣処理装置を提供することにある。
【課題を解決するための手段】
【０００８】
上記課題を解決するために、本発明のある観点によれば、紙幣が搬送される第１出金口及び第２出金口と、移動することにより前記第１出金口を開閉可能な第１開閉部材と、移動することにより前記第２出金口を開閉可能な第２開閉部材と、前記第１出金口又は前記第２出金口の紙幣の抜き取りを検知する検知部と、前記第１出金口及び前記第２出金口に紙幣が搬送された際に前記第１出金口の紙幣の抜き取りが検知されると、前記第１開閉部材を閉じる動作、及び前記第２開閉部材を開ける動作を共に行う制御部と、を備える、紙幣処理装置が提供される。
【０００９】
かかる紙幣処理装置によれば、制御部は、第１出金口及び第２出金口に紙幣が搬送された際に第１出金口の紙幣の抜き取りが検知されると、第１開閉部材を閉じる動作、及び第２開閉部材を開ける動作を共に行う。これにより、第１開閉部材が閉じるのを待たずに、第２開閉部材が開くことになる。このため、職員が第１出金口の紙幣を抜き取ってから第２出金口の紙幣を抜き取るまでの時間を短縮できるので、第１出金口及び第２出金口に搬送された紙幣を効率的に抜き取ることができる。
【００１０】
また、上記の紙幣処理装置において、前記制御部は、前記第１出金口の紙幣の抜き取りが検知されると、前記第１開閉部材を閉め始めると同時に、前記第２開閉部材を開け始めることとしても良い。
【００１１】
また、上記の紙幣処理装置において、前記制御部は、前記第１出金口の紙幣の抜き取りが検知されると、前記第１開閉部材を閉める途中で、前記２開閉部材を開け始めることとしても良い。
【００１２】
また、上記の紙幣処理装置において、前記制御部は、前記第１出金口の紙幣の抜き取りが検知されると、前記第１開閉部材を閉め終わると同時に、前記第２開閉部材を開け始めることとしても良い。
【００１３】
また、上記の紙幣処理装置において、前記制御部は、前記第１出金口と前記第２出金口に異なる金種の紙幣が搬送された場合には、前記紙幣の搬送が完了すると、前記第１開閉部材及び前記第２開閉部材の一方を開けることとしても良い。
【００１４】
また、上記の紙幣処理装置において、前記制御部は、前記第１出金口と前記第２出金口に同じ金種の紙幣が搬送された場合には、前記紙幣の搬送が完了すると、前記第１開閉部材と前記第２開閉部材を共に開けることとしても良い。
【００１５】
また、上記の紙幣処理装置において、前記制御部は、前記紙幣の搬送が完了すると、前記第１開閉部材と前記第２開閉部材を同時に開けることとしても良い。
【００１６】
また、上記課題を解決するために、本発明の別の観点によれば、紙幣が搬送される第１出金口及び第２出金口と、移動することにより前記第１出金口を開閉可能な第１開閉部材と、移動することにより前記第２出金口を開閉可能な第２開閉部材と、前記第１出金口又は前記第２出金口の紙幣の抜き取りを検知する検知部と、前記第１出金口及び前記第２出金口に紙幣が搬送された際に前記第１出金口の紙幣の抜き取りが検知されると、前記第２開閉部材を開ける動作を行う制御部と、を備える、紙幣処理装置が提供される。
【００１７】
また、上記の紙幣処理装置において、前記制御部は、前記第１出金口の紙幣の抜き取りが検知されると、前記第１開閉部材を開いた状態で、前記第２開閉部材を開けることとしても良い。
【００１８】
また、上記課題を解決するために、本発明の別の観点によれば、１出金口及び第２出金口への紙幣の搬送と、前記第１出金口を開閉可能な第１開閉部材及び前記第２出金口を開閉可能な第２開閉部材の開閉動作と、を制御する紙幣処理方法であって、前記第１出金口及び前記第２出金口に紙幣を搬送するステップと、前記紙幣の搬送後に前記第１出金口又は前記第２出金口の紙幣の抜き取りを検知部が検知するステップと、前記第１出金口の紙幣の抜き取りが検知されると、前記第１開閉部材を閉じる動作、及び前記第２開閉部材を開ける動作を共に行うステップと、を有する紙幣処理方法が提供される。
【発明の効果】
【００１９】
以上説明したように本発明によれば、２つの出金口に搬送された紙幣を効率的に抜き取ることが可能となる。
【図面の簡単な説明】
【００２０】
【図１】第１の実施形態に係る紙幣処理装置１０の内部構成例を示す図である。
【図２】第１シャッタ１６及び第２シャッタ１７の構成例を示す模式図である。
【図３】比較例に係る計数処理時におけるシャッタ開閉動作を示すフローチャートである。
【図４】紙幣処理装置１０の機能構成例を示すブロック図である。
【図５】第１の実施形態に係る計数処理時におけるシャッタ開閉動作例を示すフローチャートである。
【図６】第２の実施形態に係る計数処理時におけるシャッタ開閉動作例を示すフローチャートである。
【図７】第３の実施形態に係る計数処理時におけるシャッタ開閉動作例を示すフローチャートである。
【図８】第４の実施形態に係る計数処理時におけるシャッタ開閉動作例を示すフローチャートである。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
＜１．第１の実施形態＞
（１−１．紙幣処理装置の内部構成例）
図１を参照しながら、第１の実施形態に係る紙幣処理装置１０の内部構成例について説明する。
【００２３】
図１は、第１の実施形態に係る紙幣処理装置１０の内部構成例を示す図である。紙幣処理装置１０は、金融機関の営業店等に設置されている。紙幣処置装置１０は、装置の操作者である金融機関の受付窓口員等の職員による操作に基づいて、紙幣の取引を行う職員操作型端末である。
【００２４】
紙幣処理装置１０は、図１に示すように、入金口１２と、第１出金口１４と、第２出金口１５と、紙幣認識部２０と、一時保留部２２と、搬送部２４と、紙幣カセット３０Ａ〜３０Ｄと、リジェクト庫付き紙幣カセット３５と、表示部４０とを有する。
【００２５】
入金口１２は、職員が紙幣を投入する投入口である。入金口１２には、開口部を開閉するシャッタ（不図示）を設けるようにしてもよい。また、入金口１２は、束で投入された紙幣を一枚ずつ分離して繰り出す分離機能を有する。
【００２６】
第１出金口１４及び第２出金口１５は、職員が受け取る紙幣が排出（出金）される排出口である。第１出金口１４及び第２出金口１５は、排出する紙幣を集積する集積機能を有する。第１出金口１４及び第２出金口１５は、一例として、紙幣を１００枚（最大集積枚数）集積できる容量を有する。図１に示す例では、出金口が２つ設けられているが、これに限定されず、例えば出金口が３つ以上であってもよい。なお、図２に示すように、第１出金口１４には開口部を開閉する第１出金口シャッタ（以下、第１シャッタと呼ぶ）１６が、第２出金口１５には開口部を開閉する第２出金口シャッタ（以下、第２シャッタと呼ぶ）１７が、それぞれ設けられている。
【００２７】
図２は、第１シャッタ１６及び第２シャッタ１７の構成例を示す模式図である。図２（ａ）には、第１シャッタ１６及び第２シャッタ１７が閉じた状態が示され、図２（ｂ）には、第１シャッタ１６が開いた状態が示されている。第１シャッタ１６及び第２シャッタ１７は、移動することにより第１出金口１４と第２出金口１５を閉じる。なお、第１出金口１４に紙幣が搬送されている際には、第１シャッタ１６は閉じており、第２出金口１５に紙幣が搬送されている際には、第２シャッタ１７は閉じている。なお、図２では、平面状の第１シャッタ１６及び第２シャッタ１７をスライドさせて開閉させているが、曲面状のシャッタを回動させて開閉されても良い。
【００２８】
紙幣認識部２０は、１枚ずつ通過していく紙幣の鑑別を行う。紙幣の進行方向は双方向に対応しており、紙幣認識部２０は、入金口１２側の方向から搬送される紙幣、およびその逆方向から搬送される紙幣の鑑別を行うことができる。具体的には、紙幣認識部２０は、搬送路を通って搬送された紙幣の金種、真偽（真券／偽券）、正損（正券／損券）および走行状態（正常／異常）などを鑑別し、通過する紙幣に対して、正常判定またはリジェクト判定を行う。
【００２９】
ここで、本明細書において真券とは紙幣と鑑別されたものをいい、偽券とは紙幣と鑑別されなかったものをいう。また、正券とは真券と鑑別された紙幣のうち入金／出金に適すると鑑別されたものをいい、損券とは真券と鑑別された紙幣のうち入金／出金に適さないと鑑別されたものをいう。また、リジェクト判定は、偽券、損券（汚損、損壊、外形異常等）、走行異常（スキュー紙幣、重走等）といった要因に基づいて行われる。また、リジェクト紙幣には、出金紙幣として取り扱えない紙幣（例えば二千円札や五千円札）を含んでもよいし、外国紙幣を含んでもよい。
【００３０】
一時保留部２２は、紙幣の分離と集積の両方の機能を有する。例えば、一時保留部２２は、入金取引時に入金口１２から分離されて紙幣認識部２０により正常と鑑別された紙幣を一時的に集積する。一時保留部２２に集積された紙幣は、入金した紙幣の口座計上などが確定したなど、取引が成立した場合に繰り出され、紙幣認識部２０を経て紙幣カセット３０Ａ〜３０Ｄなどに搬送される。なお、一時保留部２２は、紙幣を順次重ねて集積する集積式であってもよいし、紙幣を順次巻いて収納するドラム式であってもよい。
【００３１】
搬送部２４は、搬送路、紙幣を搬送する搬送ローラ、および搬送ローラを駆動する駆動機構を含み、紙幣を一枚ずつ搬送する。駆動機構は、例えばＤＣサーボモータまたはパルスモータなどが回転することにより、搬送ローラを駆動する。搬送部２４は、後述する制御部により制御され、紙幣を目的の搬送先（例えば、第１出金口１４又は第２出金口１５）に搬送する。
【００３２】
紙幣カセット３０Ａ〜３０Ｄは、紙幣を金種毎に収納可能な紙幣収納部であって、紙幣の集積および分離の両方の機能を有する。また、紙幣カセット３０Ａ〜３０Ｄは、同一金種のための複数の紙幣カセットを含んでもよい。例えば、紙幣カセット３０Ａおよび３０Ｃが一万円札用の紙幣カセットであり、紙幣カセット３０Ｂおよび３０Ｄが千円札用の紙幣カセットであってもよい。また、紙幣カセット３０Ａ〜３０Ｄは、紙幣処理装置１０に対して着脱可能な構造になっており、個別に交換することで紙幣カセット３０Ａ〜３０Ｄに紙幣を装填することも可能である。
【００３３】
リジェクト庫付き紙幣カセット３５（以下、紙幣カセット３５とも称す）は、紙幣処理装置１０に対して着脱可能な構造になっており、個別に交換することで、紙幣の回収および補充が可能である。また、紙幣カセット３５は、上側に紙幣収納庫３６、下側（底部）にリジェクト庫３７を備える。
【００３４】
紙幣収納庫３６は、紙幣を集積する集積機能および１枚ずつ繰り出す分離機能を有する。また、紙幣収納庫３６は、カセット計数回収時に各紙幣カセット３０Ａ〜３０Ｄから分離された紙幣を集積し、紙幣を回収することができる。また、紙幣収納庫３６は、カセット計数補充に、紙幣収納庫３６内に集積している紙幣を繰り出し、紙幣カセット３０Ａ〜３０Ｄに紙幣を補充することができる。
【００３５】
リジェクト庫３７は、紙幣を集積する集積機能のみ有する。リジェクト庫３７は、紙幣認識部２０によって異常と鑑別（リジェクト判定）された紙幣（リジェクト紙幣）を集積するための紙幣収納部である。
【００３６】
表示部４０は、メニュー画面や処理結果画面を表示する。表示部４０は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。
【００３７】
また、紙幣処理装置１０は、職員が操作可能な操作部（不図示）を有する。紙幣処理装置１０は、職員が操作部を操作することにより、入金や出金の取引に対応する入金処理や出金処理等を行う。なお、紙幣処理装置１０は、操作部の代わりに、紙幣処理装置１０に接続された受付端末における職員の操作に基づいて、処理を行なっても良い。
【００３８】
（１−２．紙幣処理装置の基本処理）
紙幣処置装置１０は、基本処理として、例えば入金処理、出金処理、補充処理、回収処理を行う。以下では、図１を参照しながら処理毎に説明する。
【００３９】
（入金処理）
入金処理は、入金口１２の紙幣を紙幣処理装置１０の内部に集積する処理である。紙幣処理装置１０は、入金処理として、例えば、入金紙幣を一時保留部２２へ退避させた後に一時保留部２２から紙幣カセット３０Ａ〜３０Ｄに集積する通常入金処理と、入金紙幣を一時保留部２２へ退避させないで直接紙幣カセット３０Ａ〜３０Ｄに集積するダイレクト入金処理とを行う。なお、紙幣処理装置１０は、設定により通常入金処理又はダイレクト入金処理を選択することができる。
【００４０】
まず、通常入金処理について説明する。通常入金処理においては、まず、入金口１２に投入された紙幣が一枚ずつ分離して繰り出され、繰り出された紙幣は、搬送部２４により紙幣認識部２０に搬送される。次に、紙幣認識部２０が紙幣の鑑別を行い、鑑別結果が正常であった紙幣は、一時保留部２２へ搬送されて集積される。その後、入金金額が確定すると、集積処理に移行する。
【００４１】
一方で、紙幣認識部２０による鑑別結果が異常であった紙幣（リジェクト紙幣）は、第１出金口１４又は第２出金口１５に集積される。第１出金口１４又は第２出金口１５に集積された紙幣は、職員により入金口１２に再投入されることで、紙幣認識部２０による再鑑別が可能である。なお、以下において、紙幣認識部２０により紙幣を鑑別し、鑑別結果に基づき搬送先に紙幣を搬送する処理を計数処理とも呼ぶ。
【００４２】
集積処理においては、まず、一時保留部２２から紙幣が１枚ずつ分離され、分離された紙幣が紙幣認識部２０に搬送される。次に、紙幣認識部２０による鑑別結果が正常であった紙幣は、金種に対応する紙幣カセット３０Ａ〜３０Ｄに集積される。一方で、汚損券、折れ紙幣、スキュー紙幣などの走行異常紙幣のように、紙幣認識部２０による鑑別結果が異常であった紙幣は、紙幣カセット３５のリジェクト庫３７に集積される。
【００４３】
一方で、入金金額の確定前に入金紙幣の返却（キャンセル）が指示されると、返却処理に移行する。返却処理においては、まず、一時保留部２２から紙幣が１枚ずつ分離され、分離された紙幣が紙幣認識部２０に搬送される。そして、紙幣認識部２０による鑑別結果が正常／異常いずれであっても、全ての紙幣を第１出金口１４、又は第２出金口１５へ集積する。
【００４４】
次に、ダイレクト入金処理について説明する。入金口１２に投入された紙幣は、通常入金処理と同様に、紙幣認識部２０により鑑別される。そして、鑑別結果が正常であった紙幣は、金種に対応する紙幣カセット３０Ａ〜３０Ｄに集積される。一方で、鑑別結果が異常であった紙幣（リジェクト紙幣）は、第１出金口１４又は第２出金口１５に集積される。第１出金口１４又は第２出金口１５に集積された紙幣は、職員により入金口１２に再投入されることで、紙幣認識部２０による再鑑別が可能である。
【００４５】
（出金処理）
出金処理は、紙幣カセット３０Ａ〜３０Ｄの紙幣を第１出金口１４又は第２出金口１５に集積する処理である。
【００４６】
出金処理においては、まず、指定された金額に応じて紙幣カセット３０Ａ〜３０Ｄから紙幣が１枚ずつ分離して繰り出され、繰り出された紙幣は、搬送部２４により紙幣認識部２０に搬送される。次に、紙幣認識部２０が紙幣の鑑別を行い、鑑別結果が正常であった紙幣は、第１出金口１４又は第２出金口１５に集積される。具体的には、例えば出金する正常紙幣の金種や枚数に応じて、第１出金口１４又は第２出金口１５に選択的に集積（集金）される。一方で、鑑別結果が異常であった紙幣、すなわち、顧客に支払いできない紙幣は、紙幣カセット３５のリジェクト庫３７に集積される。
【００４７】
（補充処理）
補充処理は、紙幣処理装置１０に紙幣を補充する処理である。紙幣処理装置１０においては、具体的な補充方法として、入金口補充、カセット交換補充、およびカセット計数補充が可能である。以下、各補充方法について説明する。
【００４８】
入金口補充は、上述した入金処理における動作と同様である。例えば、入金口１２から繰り出され、紙幣認識部２０による鑑別結果が正常であった紙幣は、一時保留部２２に退避された後、金種に対応する紙幣カセット３０Ａ〜３０Ｄに集積される。一方で、鑑別結果が異常であった紙幣は、第１出金口１４又は第２出金口１５に集積される。
【００４９】
カセット交換補充は、紙幣カセット３０Ａ〜３０Ｄが着脱可能であることを利用するものであり、予め紙幣を装填した紙幣カセットを、既に装着された紙幣カセット３０Ａ〜３０Ｄのいずれかと交換することで、紙幣を補充する。なお、カセット交換補充では、補充した紙幣の金種と枚数をオペレータがマニュアルで登録する必要がある。
【００５０】
カセット計数補充においては、まず、紙幣カセット３５の紙幣収納庫３６に予め紙幣を装填し、紙幣処理装置１０にセットする。次に、紙幣収納庫３６から繰り出され、紙幣認識部２０による鑑別結果が正常であった紙幣は、金種に対応する紙幣カセット３０Ａ〜３０Ｄに集積される。一方で、鑑別結果が異常であった紙幣は、リジェクト庫３７に集積される。なお、カセット計数補充では、紙幣認識部２０により計数処理が実行されるので、補充した紙幣の金種および枚数をオペレータがマニュアルで登録する必要はない。
【００５１】
（回収処理）
回収処理は、紙幣処理装置１０内の紙幣を回収する処理である。紙幣処理装置１０においては、具体的な回収方法として、出金口回収、カセット交換回収、およびカセット計数回収が可能である。以下、各回収方法について説明する。
【００５２】
出金口回収は、上述した出金処理における動作と同様である。例えば、回収対象の紙幣カセット３０Ａ〜３０Ｄから繰り出され、紙幣認識部２０による鑑別結果が正常であった紙幣は、第１出金口１４又は第２出金口１５に集積される。一方で、鑑別結果が異常であった紙幣は、リジェクト庫３７に集積される。そして、回収対象の紙幣カセット３０Ａ〜３０Ｄに集積された全紙幣に対して行い、職員は、第１出金口１４又は第２出金口１５から、正常判定された紙幣を回収することができる。また、職員は、リジェクト庫３７から異常判定された紙幣を回収することができる。
【００５３】
カセット交換回収は、紙幣カセット３０Ａ〜３０Ｄのうちの所定の紙幣カセットを紙幣処理装置１０から取り外すことで、紙幣の回収を行う。なお、カセット交換回収では、オペレータが、取り外した紙幣カセット３０Ａ〜３０Ｄから紙幣を抜き取り、回収した紙幣の金種と枚数をマニュアルで数える必要がある。
【００５４】
カセット計数回収においては、紙幣カセット３０Ａ〜３０Ｄのうち回収対象の紙幣カセットから繰り出され、紙幣認識部２０による鑑別結果が正常であった紙幣は、紙幣カセット３５の紙幣収納庫３６に集積される。一方で、鑑別結果が異常であった紙幣は、リジェクト庫３７に集積される。その後、職員が紙幣カセット３５のみを紙幣処理装置１０から取り外すことで、正常判定された紙幣および異常判定された紙幣を回収することができる。また、カセット計数回収では、紙幣認識部２０により計数処理が実行されるので、回収した紙幣の金種および枚数をオペレータがマニュアルで数える必要はない。
【００５５】
（１−３．計数処理時のシャッタ開閉動作について）
紙幣処理装置１０は、出金処理における計数処理等の際に第１出金口１４及び第２出金口１５に紙幣を搬送するが、２つの出金口に搬送された紙幣を効率的に抜き取るために、第１シャッタ１６と第２シャッタ１７のシャッタ開閉動作を制御している。ここでは、本実施形態に係るシャッタ開閉動作を説明する前に、比較例に係るシャッタ開閉動作について説明する。
【００５６】
図３を参照しながら、比較例に係る計数処理時の第１シャッタ１６及び第２シャッタ１７の開閉動作について説明する。図３は、比較例に係る計数処理時におけるシャッタ開閉動作を示すフローチャートである。
【００５７】
図３のフローチャートは、出金紙幣の計数処理中に計数処理を停止する要因（例えば、全ての出金紙幣の出金口への搬送が完了した場合）を検知したところから開始される。計数処理の停止要因を検知すると、計数処理が停止する（ステップＳ８０２）。
【００５８】
次に、第１シャッタ１６と第２シャッタ１７の一方（ここでは、第１シャッタ１６とする）のみを開ける（ステップＳ８０４）。これにより、職員は、第１出金口１４に集積された紙幣を抜き取ることができる。そして、第１出金口１４からの紙幣の抜き取りが検知されると（ステップＳ８０６）、第１シャッタ１６が閉まる（ステップＳ８０８）。その後、第２出金口１５の第２シャッタ１７が開く（ステップＳ８１０）。これにより、職員は、第２出金口１５に集積された紙幣を抜き取ることができる。
【００５９】
比較例の場合には、２つの出金口１４、１５の紙幣を順番に抜き取るため、第２出金口１５の紙幣を抜き取るためには、第１シャッタ１６が閉まるまで待つ必要がある。このため、第２出金口１５から紙幣を抜き取るのに時間を要する。
【００６０】
これに対して、第１の実施形態に係る紙幣処理装置１０では、詳細は後述するが、第１出金口１４の紙幣を抜き取った後に、第１出金口１４の第１シャッタ１６を閉める動作と、第２出金口１５の第２シャッタ１７を開く動作とを共に行う。これにより、比較例とは異なり、第２出金口１５の紙幣を抜き取るのに第１シャッタ１６が閉まるのを待つ必要が無いので、第１出金口１４の紙幣を抜き取ってから第２出金口１５の紙幣を抜き取るまでの時間を短縮することができる。
【００６１】
（１−４．紙幣処理装置の機能構成例）
図４を参照しながら、紙幣処理装置１０の機能構成例について説明する。図４は、紙幣処理装置１０の機能構成例を示すブロック図である。図４に示すように、紙幣処理装置１０は、制御部７０と、記憶部８０と、検知部８２とを備える。
【００６２】
制御部７０は、紙幣処理装置１０の動作全般を制御する。具体的には、制御部７０は、上述した入金処理、出金処理、補充処理、回収処理等の基本処理を制御する。例えば、制御部７０は、搬送部２４による紙幣の搬送と、第１シャッタ１６及び第２シャッタ１７の開閉動作とを制御する。
【００６３】
ところで、第１の実施形態において、制御部７０は、第１出金口１４及び第２出金口１５に紙幣を搬送する際に、第１シャッタ１６及び第２シャッタ１７を以下のように制御する。ここでは、第１シャッタ１６が、移動することにより第１出金口１４を開閉可能な第１開閉部材に該当し、第２シャッタ１７が、移動することにより第２出金口１５を開閉可能な第２開閉部材に該当するものとする。
【００６４】
制御部７０は、第１出金口１４及び第２出金口１５に紙幣が搬送された際に、第１出金口１４及び第２出金口１５の一方の出金口（ここでは、第１出金口１４とする）の紙幣の抜き取りが検知されると、第１出金口１４の第１シャッタ１６を閉じる動作、及び他方の出金口（第２出金口１５）の第２シャッタ１７を開ける動作を共に行う。このように第１シャッタ１６を閉じる動作と第２シャッタ１７を開ける動作を共に行うことで、第１シャッタ１６が閉じるのを待たずに、第２シャッタ１７が開くことになる。このため、職員が第１出金口１４の紙幣を抜き取ってから第２出金口１５の紙幣を抜き取るまでの時間を短縮できる。
【００６５】
また、制御部７０は、第１出金口１４の紙幣の抜き取りが検知された際の第１シャッタ１６と第２シャッタ１７の開閉タイミングとして、第１シャッタ１６を閉め始めると同時に、第２シャッタ１７を開け始めても良い。これにより、職員は、第１出金口１４の抜き取り後に、直ぐに第２出金口１５の紙幣を抜き取ることができる。従って、第１出金口１４の紙幣を抜き取ってから第２出金口１５の紙幣を抜き取るまでの時間を、より短縮できる。
【００６６】
なお、第１出金口１４の紙幣の抜き取りが検知された際の第１シャッタ１６と第２シャッタ１７の開閉タイミングは、上記に限定されない。例えば、制御部７０は、第１出金口１４の紙幣の抜き取りが検知されると、第１シャッタ１６を閉める途中で、第２シャッタ１７を開け始めても良い。かかる場合にも、第１シャッタ１６が閉じるのを待たずに、第２シャッタ１７が開くことになるので、職員が第１出金口１４の紙幣を抜き取ってから第２出金口１５の紙幣を抜き取るまでの時間を短縮できる。また、制御部７０は、第１出金口１４の紙幣の抜き取りが検知されると、第１シャッタ１６を閉め終わると同時に、第２シャッタ１７を開け始めても良い。
【００６７】
また、制御部７０は、第１出金口１４と第２出金口１５に異なる金種の紙幣が搬送された場合には、紙幣の搬送が完了すると、第１シャッタ１６及び第２シャッタ１７の一方を開ける。これにより、職員は異なる金種の紙幣を異なるタイミングで出金口から抜き取ることになるので、抜き取った異なる金種の紙幣が混在することを防止できる。
【００６８】
また、制御部７０は、第１出金口１４と第２出金口１５に同じ金種の紙幣が搬送された場合には、紙幣の搬送が完了すると、第１シャッタ１６と第２シャッタ１７を共に開ける。例えば、制御部７０は、紙幣の搬送が完了すると、第１シャッタ１６と第２シャッタ１７を同時に開ける。同じ金種の紙幣の場合には、第１出金口１４と第２出金口１５の紙幣を混ぜても職員等が誤認する恐れが無い。一方で、２つのシャッタを共に開けることで、搬送が完了したことを職員に知覚させることができる。
【００６９】
記憶部８０は、紙幣処理装置１０が動作するためのプログラム等を記憶する。また、記憶部８０は、紙幣認識部２０の鑑別結果を記憶しうる。
【００７０】
検知部８２は、例えば光学センサ等を有し、様々な状態を検知する。例えば、検知部８２は、第１出金口１４や第２出金口１５の紙幣の集積状態（集積枚数や、紙幣が抜き取られたか否か）を検知する。また、検知部８２は、紙幣の搬送状態を検知しうる。
【００７１】
なお、上述した制御部７０、および記憶部８０の機能は、ＣＰＵ（Ｃｅｎｔｒａｌ Ｐｒｏｃｅｓｓｉｎｇ
Ｕｎｉｔ）、ＲＯＭ（Ｒｅａｄ Ｏｎｌｙ Ｍｅｍｏｒｙ）、およびＲＡＭ（Ｒａｎｄｏｍ
Ａｃｃｅｓｓ Ｍｅｍｏｒｙ）等から成るハードウェア構成により実現してもよい。ＣＰＵは、演算機能および制御機能を有し、各種プログラムに従って紙幣処理装置１０の動作全般を制御する。ＲＯＭは、ＣＰＵが使用するプログラムや演算パラメータ等を記憶する。ＲＡＭは、ＣＰＵの実行において使用するプログラムや、その実行において適宜変化するパラメータ等を一時記憶する。
【００７２】
（１−５．計数処理例）
図５を参照しながら、第１の実施形態に係る計数処理時の第１シャッタ１６及び第２シャッタ１７のシャッタ開閉動作例について説明する。図５は、第１の実施形態に係る計数処理時におけるシャッタ開閉動作例を示すフローチャートである。
【００７３】
図５のフローチャートは、例えば制御部７０のＣＰＵが、ＲＯＭに記憶されているプログラムを実行することにより、実現される。なお、実行されるプログラムは、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、メモリカード等の記録媒体に記憶されても良く、インターネットを介してサーバ等からダウンロードされても良い。
【００７４】
図５のフローチャートは、出金紙幣の計数処理が開始されたところから始まる。例えば、制御部７０は、紙幣カセット３０Ａ〜３０Ｄから紙幣を分離させて紙幣認識部２０に搬送し、紙幣認識部２０の鑑別結果に基づいて紙幣を第１出金口１４又は第２出金口１５に搬送する。例えば、制御部７０は、第１金種の紙幣を第１出金口１４に搬送し、第２金種の紙幣を第２出金口１５に搬送する。その後、制御部７０は、計数処理を停止させる要因（例えば、全ての出金紙幣の出金口への搬送が完了した場合）を検知すると、計数処理を停止する（ステップＳ１０２）。
【００７５】
次に、制御部７０は、第１出金口１４と第２出金口１５に搬送された紙幣が同じ金種であるか否かを判定する（ステップＳ１０４）。そして、ステップＳ１０４で異なる金種である場合には（Ｎｏ）、制御部７０は、第１シャッタ１６と第２シャッタ１７のうちの一方のシャッタ（ここでは、第１シャッタ１６）を開ける（ステップＳ１０６）。具体的には、職員が操作部で開けるシャッタとして第１シャッタ１６を選択することで、第１シャッタ１６のみが開く。これにより、職員は、第１出金口１４に集積された紙幣を抜き取ることができる。
【００７６】
その後、第１出金口１４の紙幣が抜き取られたことを検知すると（ステップＳ１０８）、制御部７０は、第１シャッタ１６と第２シャッタ１７の動作を並行して処理する。すなわち、制御部７０は、第１シャッタ１６を閉める（ステップＳ１１０）。また、制御部７０は、第２出金口１５に紙幣が集積されているか否かを判定し（ステップＳ１１２）、ステップＳ１１２で第２出金口１５に紙幣が集積されていると（Ｙｅｓ）、第２シャッタ１７を開ける（ステップＳ１１４）。
【００７７】
ここで、制御部７０は、第１シャッタ１６が閉め始めると同時に、第２シャッタ１７を開け始める。これにより、職員は、第１出金口１４の第１金種の紙幣を抜き取った後すぐに、第２出金口１５の第２金種の紙幣を抜き取れる。その後、第２出金口１５の紙幣が抜き取られたことを検知すると（ステップＳ１１６）、制御部７０は、第２シャッタ１７を閉める（ステップＳ１１８）。なお、上記では、第１シャッタ１６が閉め始めると同時に第２シャッタ１７が開き始めることとしたが、これに限定されず、第１シャッタ１６が閉まる途中で第２シャッタ１７が開き始めても良く、又は第１シャッタ１６が閉め終わると同時に第２シャッタ１７が開き始めても良い。
【００７８】
ステップＳ１０４で第１出金口１４と第２出金口１５に搬送された紙幣が同じ金種である場合には（Ｙｅｓ）、制御部７０は、第１シャッタ１６と第２シャッタ１７の動作を並行して処理する。すなわち、制御部７０は、第１出金口１４と第２出金口１５に紙幣が集積されているかを判定し（ステップＳ１３０、Ｓ１３８）、第１出金口１４と第２出金口１５に紙幣が集積されている場合には、第１シャッタ１６と第２シャッタ１７を同時に開ける（ステップＳ１３２、ステップＳ１４０）。
【００７９】
このように第１シャッタ１６と第２シャッタ１７を同時に開けることにより、第２出金口１５の紙幣を抜き取る際に第１シャッタが閉まるのを待つ必要がないので、第２出金口１５に搬送された紙幣を抜き取るまでの時間を短縮できる。
【００８０】
その後、制御部７０は、第１出金口１４の紙幣が抜き取られたことを検知すると（ステップＳ１３４）、第１シャッタ１６を閉める（ステップＳ１３６）。また、制御部７０は、第２出金口１５の紙幣が抜き取られたことを検知すると（ステップＳ１４２）、第２シャッタ１７を閉める（ステップＳ１４４）。
【００８１】
なお、上記では、出金処理における計数処理計時の第１シャッタ１６及び第２シャッタ１７のシャッタ開閉動作について説明したが、これに限定されない。例えば、回収処理（出金口回収）の際にも第１出金口１４及び第２出金口１５に紙幣が搬送されるので、上述したシャッタ開閉動作を適用できる。
【００８２】
（１−６．第１の実施形態の有効性）
上述した第１の実施形態によれば、第１出金口１４及び第２出金口１５に紙幣が搬送された際に、第１出金口１４及び第２出金口１５の一方の出金口（ここでは、第１出金口１４とする）の紙幣の抜き取りが検知されると、第１出金口１４の第１シャッタ１６を閉じる動作、及び他方の出金口（第２出金口１５）の第２シャッタ１７を開ける動作を共に行う。
【００８３】
このように第１シャッタ１６を閉じる動作と第２シャッタ１７を開ける動作を共に行うことで、第１シャッタ１６が閉じるのを待たずに、第２シャッタ１７が開くことになる。このため、職員が第１出金口１４の紙幣を抜き取ってから第２出金口１５の紙幣を抜き取るまでの時間を短縮できるので、第１出金口１４及び第２出金口１５に搬送された紙幣を効率的に抜き取ることができる。
【００８４】
＜２．第２の実施形態＞
第１の実施形態では、第１出金口１４の紙幣の抜き取りが検知されると、第１シャッタ１６を閉じると共に第２シャッタ１７を開けていたが、第２の実施形態では、第１シャッタ１６の開閉状態に関わらず第２シャッタ１７を開ける。
【００８５】
すなわち、制御部７０は、第１出金口１４及び第２出金口１５に紙幣が搬送された際に、第１出金口１４及び第２出金口１５の一方の出金口（ここでは、第１出金口１４とする）の紙幣の抜き取りが検知されると、他方の出金口（第２出金口１５）の第２シャッタ１７を開ける動作を行う。これにより、第１出金口１４の第１シャッタ１６の開閉状態に関係無く、第１出金口１４からの紙幣の抜き取り後に第２シャッタ１７が開くことになる。このため、職員が第１出金口１４の紙幣を抜き取ってから第２出金口１５の紙幣を抜き取るまでの時間を短縮できる。
【００８６】
より具体的には、制御部７０は、第１出金口１４の紙幣の抜き取りが検知されると、第１シャッタ１６を開いた状態で、第２シャッタ１７を開ける。これにより、第１出金口１４の紙幣の抜き取り直後に第２シャッタ１７が開くことになり、職員が第１出金口１４の紙幣を抜き取ってから第２出金口１５の紙幣を抜き取るまでの時間を一層短縮できる。
【００８７】
図６を参照しながら、第２の実施形態に係る計数処理時の第１シャッタ１６及び第２シャッタ１７のシャッタ開閉動作例について説明する。図６は、第２の実施形態に係る計数処理時におけるシャッタ開閉動作例を示すフローチャートである。
【００８８】
図６のフローチャートも、出金紙幣の計数処理中に計数処理を停止する要因（例えば、全ての出金紙幣の出金口への搬送が完了した場合）を検知したところから開始される。計数処理の停止要因を検知すると、制御部７０は、計数処理を停止する（ステップＳ２０２）。ここで、第１出金口１４及び第２出金口１５には、紙幣が集積されている。
【００８９】
次に、制御部７０は、第１シャッタ１６と第２シャッタ１７のうちの一方のシャッタ（ここでは、第１シャッタ１６）を開ける（ステップＳ２０４）。これにより、職員は、第１出金口１４に集積された第１金種の紙幣を抜き取ることができる。そして、第１出金口１４の紙幣が抜き取られたことを検知すると（ステップＳ２０６）、制御部７０は、第１シャッタ１６を閉めずに、第２シャッタ１７を開ける（ステップＳ２０８）。これにより、職員は、第２出金口１５に集積された第２金種の紙幣を抜き取ることができる。
【００９０】
その後、制御部７０は、第２出金口１５の紙幣が抜き取られたことを検知すると（ステップＳ２１０）、第１シャッタ１６と第２シャッタ１７を閉める（ステップＳ２１２）。ここで、制御部７０は、第１シャッタ１６及び第２シャッタ１７を同時に閉めても良いし、いずれか一方のシャッタを先に閉めた後に、他方のシャッタを後に閉めても良い。
【００９１】
上述した第２の実施形態によれば、第１出金口１４の紙幣が抜き取られると、第１シャッタ１６が開いた状態で第２シャッタ１７が開くので、職員は、第１シャッタ１６が閉まるのを待たずに、第２出金口１５の紙幣を抜き取ることができる。なお、上記では、第１出金口１４と第２出金口１５に搬送される紙幣の金種が異なることとしたが、これに限定されず、第１出金口１４と第２出金口１５に同じ金種の紙幣が搬送されることとしても良い。
【００９２】
＜３．第３の実施形態＞
第１の実施形態では、第１出金口１４及び第２出金口１５に紙幣を搬送する際に、２つの出金口への紙幣の搬送が完了した後に、一方のシャッタが開いていた。
【００９３】
これに対して、第３の実施形態では、第１出金口１４と第２出金口１５のうちの先に紙幣の搬送が完了した出金口（ここでは、第１出金口１４とする）の第１シャッタ１６を先に開け、他の出金口（第２出金口１５）への紙幣の搬送を続ける。その後、第２出金口１５への紙幣の搬送が完了すると、第２シャッタ１７が開く。
【００９４】
これにより、先に紙幣の搬送が完了した第１出金口１４の紙幣を直ぐに職員は抜き取ることができる。また、第２出金口１５への紙幣の搬送が完了した際に、第１出金口１４の紙幣の抜き取られていた場合には、第２シャッタ１７が直ぐに開くので、第２出金口１５の紙幣を直ぐに抜き取ることもできる。
【００９５】
図７を参照しながら、第３の実施形態に係る計数処理時の第１シャッタ１６及び第２シャッタ１７のシャッタ開閉動作例について説明する。図７は、第３の実施形態に係る計数処理時におけるシャッタ開閉動作例を示すフローチャートである。
【００９６】
図７のフローチャートも、出金紙幣の計数処理が開始されたところから始まる。そして、制御部７０は、第１出金口１４と第２出金口１５のうちの一方の出金口（ここでは、第１出金口１４）への第１金種の出金紙幣の搬送を開始する（ステップＳ３０２）。
【００９７】
その後、第１出金口１４に出金すべき紙幣が搬送されると、制御部７０は、第１出金口１４への紙幣の搬送を終了する（ステップＳ３０４）。そして、制御部７０は、第１シャッタ１６と第２シャッタ１７の動作を並行して処理する。すなわち、制御部７０は、第１シャッタ１６を開ける（ステップＳ３０６）。これにより、職員は、第１出金口１４の第１金種の紙幣を抜き取ることができる。その後、第１出金口１４の紙幣が抜き取られたことを検知すると（ステップＳ３０８）、制御部７０は、第１シャッタ１６を閉める（ステップＳ３１０）。
【００９８】
第１シャッタ１６の開閉動作の際に、制御部７０は、第２出金口１５に搬送すべき紙幣（第２金種の紙幣）が残っているか否かを判定し（ステップＳ３１２）、ステップＳ３１２で搬送すべき紙幣が残っている場合には（Ｙｅｓ）、第２出金口１５への紙幣の搬送を開始する（ステップＳ３１４）。その後、第２出金口１５に出金すべき紙幣が搬送されると、制御部７０は、第２出金口１５への紙幣の搬送を終了し（ステップＳ３１６）、第２シャッタ１７を開ける（ステップＳ３１８）。これにより、職員は、第２出金口１５の第２金種の紙幣を抜き取ることができる。その後、第２出金口１５の紙幣が抜き取られたことを検知すると（ステップＳ３２０）、制御部７０は、第２シャッタ１７を閉める（ステップＳ３２２）。
【００９９】
＜４．第４の実施形態＞
第１の実施形態では、第１出金口１４と第２出金口１５への紙幣の搬送が完了した後で、職員が第１シャッタ１６を第２シャッタ１７のいずれかを選択して開けて、紙幣を抜き取っている。
【０１００】
これに対して、第４の実施形態では、予め第１シャッタ１６と第２シャッタ１７のうちの先に開けるシャッタを設定できるようになっている。そして、第１出金口１４と第２出金口１５への紙幣の搬送が完了（例えば、計数処理の停止）した後に、設定されたシャッタが先に開く。これにより、職員は、予め設定した順番で第１出金口１４と第２出金口１５の紙幣を抜き取ることができる。
【０１０１】
図８を参照しながら、第４の実施形態に係る計数処理時の第１シャッタ１６及び第２シャッタ１７のシャッタ開閉動作例について説明する。図８は、第４の実施形態に係る計数処理時におけるシャッタ開閉動作例を示すフローチャートである。
【０１０２】
図８のフローチャートは、職員が、第１シャッタ１６と第２シャッタ１７のうち先に開けるシャッタを設定したところから開始される（ステップＳ４０２）。これにより、職員は、第１出金口１４と第２出金口１５のうちの所望の出金口に集積された紙幣を先に取り出すことができる。そして、制御部７０は、計数処理を開始する（ステップＳ４０４）。
【０１０３】
その後、制御部７０は、計数処理を停止させる要因（例えば、全ての出金紙幣の出金口への搬送が完了した場合）を検知すると、計数処理を停止する（ステップＳ４０６）。次に、制御部７０は、ステップＳ４０２で職員が設定したシャッタを判定する（ステップＳ４０８）。
【０１０４】
そして、ステップＳ４０８で先に開けるシャッタが第１シャッタ１６である場合には、制御部７０は、第１シャッタ１６を開ける（ステップＳ４１０）。これにより、職員は、第１出金口１４に集積された紙幣を先に抜き取ることができる。その後、第１出金口１４の紙幣が抜き取られたことを検知すると（ステップＳ４１２）、制御部７０は、第１シャッタ１６と第２シャッタ１７の動作を並行して処理する。
【０１０５】
具体的には、第２出金口１５に紙幣が集積されていると（ステップＳ４１６：Ｙｅｓ）、制御部７０は、第１シャッタ１６を閉め始めると同時に、第２シャッタ１７を開け始める（ステップＳ４１４、Ｓ４１８）。これにより、職員は、第１出金口１４の第１金種の紙幣を抜き取った後すぐに、第２出金口１５の第２金種の紙幣を抜き取れる。その後、第２出金口１５の紙幣が抜き取られたことを検知すると（ステップＳ４２０）、制御部７０は、第２シャッタ１７を閉める（ステップＳ４２２）。
【０１０６】
ステップＳ４０８で先に開けるシャッタが第２シャッタ１７である場合には、制御部７０は、第２シャッタ１７を開ける（ステップＳ４３０）。これにより、職員は、第２出金口１５に集積された紙幣を先に抜き取ることができる。その後、第２出金口１５の紙幣が抜き取られたことを検知すると（ステップＳ４３２）、制御部７０は、第１シャッタ１６と第２シャッタ１７の動作を並行して処理する。
【０１０７】
具体的には、第１出金口１４に紙幣が集積されていると（ステップＳ４３６：Ｙｅｓ）、制御部７０は、第２シャッタ１７を閉め始めると同時に、第１シャッタ１６を開け始める（ステップＳ４３４、Ｓ４３８）。これにより、職員は、第２出金口１５の第２金種の紙幣を抜き取った後すぐに、第１出金口１４の第１金種の紙幣を抜き取れる。その後、第１出金口１４の紙幣が抜き取られたことを検知すると（ステップＳ４４０）、制御部７０は、第１シャッタ１６を閉める（ステップＳ４４２）。
【０１０８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０９】
また、上述した紙幣処理装置１０の処理における各ステップは、必ずしもフローチャートとして記載された順序に沿って時系列に処理する必要はない。例えば、紙幣処理装置１０の処理における各ステップは、フローチャートとして記載した順序と異なる順序で処理されても、並列的に処理されてもよい。
【０１１０】
また、紙幣処理装置１０に内蔵されるＣＰＵ、ＲＯＭおよびＲＡＭなどのハードウェアを、上述した紙幣処理装置１０の各構成と同等の機能を発揮させるためのコンピュータプログラムも作成可能である。
【０１１１】
また、上述した実施形態では、紙幣処理装置１０を職員操作型端末に適用して説明したが、これに限定されない。例えば、顧客操作型端末であって、紙幣を還流させる（リサイクルさせる）タイプのＡＴＭ（Ａｕｔｏｍａｔｅｄ  ｔｅｌｌｅｒ  ｍａｃｈｉｎｅ）に代表される自動取引装置の現金処理部に適用してもよい。自動取引装置は、銀行、駅構内およびコンビニエンスストアなど、多様な場所に設置されている。顧客は、この自動取引装置に表示される表示画面において各種操作を行うことにより、入金、出金および残高照会などの取引を行うことができる。
【符号の説明】
【０１１２】
１０    紙幣処理装置
１４    第１出金口
１５    第２出金口
１６    第１シャッタ
１７    第２シャッタ
２０    紙幣認識部
２２    一時保留部
２４    搬送部
３０Ａ〜３０Ｄ    紙幣カセット
７０    制御部
８２    検知部
【図１】
2014026500.tif 000003
【図２】
2014026500.tif 000004
【図３】
2014026500.tif 000005
【図４】
2014026500.tif 000006
【図５】
2014026500.tif 000007
【図６】
2014026500.tif 000008
【図７】
2014026500.tif 000009
【図８】
2014026500.tif 000010